(57)【要約】【課題】  検査オーダをより適切に割り当てる。【解決手段】  実施形態に係る検査スケジュール管理装置は、記憶手段、割り当て手段及び第１通知手段を具備する。前記記憶手段は、各々の検査種の特性を記憶すると共に、前記検査種に対応する各々の検査装置の特性と、前記検査装置を操作する各々の操作者の特性とのうちの少なくとも１つの特性を記憶する。前記割り当て手段は、前記検査種を含む検査オーダの入力を受け付けると、前記記憶された特性に基づき、前記検査オーダをいずれかの検査装置に割り当てる。前記第１通知手段は、前記割り当てた結果を含む通知情報を出力する。【選択図】図１
2019125148.tif 000002
【特許請求の範囲】
【請求項１】
各々の検査種の特性を記憶すると共に、前記検査種に対応する各々の検査装置の特性と、前記検査装置を操作する各々の操作者の特性とのうちの少なくとも１つの特性を記憶する記憶手段と、
前記検査種を含む検査オーダの入力を受け付けると、前記記憶された特性に基づき、前記検査オーダをいずれかの検査装置に割り当てる割り当て手段と、
前記割り当てた結果を含む通知情報を出力する第１通知手段と、
を具備する検査スケジュール管理装置。
【請求項２】
前記記憶手段は、前記検査種の特性として付帯設備を記憶すると共に、前記検査装置の特性として付帯設備を記憶し、
前記割り当て手段は、前記付帯設備が共通する検査種及び検査装置に基づいて、当該検査種を含む検査オーダを当該検査装置に割り当てる、請求項１に記載の検査スケジュール管理装置。
【請求項３】
前記記憶手段は、前記検査種の特性として優先させる仕様の条件を記憶すると共に、前記検査装置の特性として仕様を記憶し、
前記割り当て手段は、前記検査種の特性を満たす特性をもつ検査装置に基づいて、当該検査種を含む検査オーダを当該検査装置に割り当てる、請求項１に記載の検査スケジュール管理装置。
【請求項４】
前記記憶手段は、前記操作者の特性として優先させる検査種を記憶し、
前記割り当て手段は、前記操作者の特性に対応する検査種及び当該操作者に操作される検査装置に基づいて、当該検査種を含む検査オーダを当該検査装置に割り当てる、請求項１に記載の検査スケジュール管理装置。
【請求項５】
前記記憶手段は、過去の検査種毎の検査時間の統計データを更に記憶し、
前記割り当て手段は、前記統計データに基づき、過去の検査時間の平均値よりも長い検査時間を持たせて、前記検査オーダを検査装置に割り当てる、請求項１乃至４のいずれか一項に記載の検査スケジュール管理装置。
【請求項６】
前記記憶手段は、検査種毎の患者準備時間を更に記憶し、
前記割り当て手段は、前記検査オーダを割り当てるときに、前記患者準備時間に基づいて準備開始予定時刻を設定し、
前記第１通知手段は、前記準備開始予定時刻に基づいて、新たな通知情報を出力する、請求項１乃至５のいずれか一項に記載の検査スケジュール管理装置。
【請求項７】
前記第１通知手段は、検査の準備開始予定時刻と現在時刻との差分に対応する待ち時間に応じた案内を含むように前記通知情報を作成する、請求項１乃至６のいずれか一項に記載の検査スケジュール管理装置。
【請求項８】
前記第１通知手段は、前記検査オーダの割り当て結果に基づいて、前記待ち時間が第１閾値未満の場合には検査室、待ち人数及び検査の準備開始予定時刻を記載した詳細案内を含むように前記通知情報を作成し、前記待ち時間が前記第１閾値以上の場合には前記検査室及び前記待ち人数を記載せずに前記準備開始予定時刻の目安を記載した概略案内を含むように前記通知情報を作成する、請求項７に記載の検査スケジュール管理装置。
【請求項９】
前記待ち時間が前記第１閾値より大きい第２閾値以上の場合に対応する検査オーダに対し、前記割り当て手段による割り当てを再実行させる再割り当て手段、を更に備えた請求項８に記載の検査スケジュール管理装置。
【請求項１０】
前記割り当てた検査オーダに対応する患者が検査室付近にいるか否かを前記検査室内の検査装置に通知する第２通知手段、を更に備えた請求項１乃至９のいずれか一項に記載の検査スケジュール管理装置。
【請求項１１】
前記第１通知手段は、前記割り当てた検査オーダに対応する患者が検査室付近にいないとき、前記待ち時間が第１閾値以上の場合には検査の準備開始予定時刻の目安を記載した概略案内と、当該患者の戻り案内とを含むように前記通知情報を作成する、請求項７に記載の検査スケジュール管理装置。
【発明の詳細な説明】
【技術分野】
【０００１】
本発明の実施形態は、検査スケジュール管理装置に関する。
【背景技術】
【０００２】
病院等の医療機関においては、複数の検査オーダの各々に対応可能な複数の検査装置を有する場合がある。この場合、各検査オーダを時系列に沿って各検査装置に割り当てる検査スケジュール管理装置が広く用いられている。この種の検査スケジュール管理装置は、例えば、複数の患者の過去の検査所要時間に基づいて、複数の検査装置の各々における複数の患者の終了予測時間を算出することにより、各検査装置のスケジュールを管理する。
【先行技術文献】
【特許文献】
【０００３】
【特許文献１】特開２０１４−３５６４６号公報
【特許文献２】特開２０１５−１９１５５６号公報
【特許文献３】特開２０００−３３８７号公報
【発明の概要】
【発明が解決しようとする課題】
【０００４】
しかしながら、このような検査スケジュール管理装置は、本発明者の検討によれば、１つの検査オーダに対応可能な複数の検査装置に対し、検査オーダをどの検査装置に割り当てる方がより適切であるかを考慮していない。このため、検査スケジュール管理装置は、偶然の場合を除き、検査オーダをより適切に割り当てることができない。
【０００５】
目的は、検査オーダをより適切に割り当てることにある。
【課題を解決するための手段】
【０００６】
実施形態に係る検査スケジュール管理装置は、記憶手段、割り当て手段及び第１通知手段を具備する。  
前記記憶手段は、各々の検査種の特性を記憶すると共に、前記検査種に対応する各々の検査装置の特性と、前記検査装置を操作する各々の操作者の特性とのうちの少なくとも１つの特性を記憶する。  
前記割り当て手段は、前記検査種を含む検査オーダの入力を受け付けると、前記記憶された特性に基づき、前記検査オーダをいずれかの検査装置に割り当てる。  
前記第１通知手段は、前記割り当てた結果を含む通知情報を出力する。
【図面の簡単な説明】
【０００７】
【図１】図１は、第１の実施形態に係る検査スケジュール管理装置及びその周辺構成の一例を示すブロック図である。
【図２】図２は、第１の実施形態における検査スケジュール管理装置の構成例を示すブロック図である。
【図３】図３は、第１の実施形態における検査種別検査装置テーブルの一例を示す模式図である。
【図４】図４は、第１の実施形態における検査種別付帯設備テーブルの一例を示す模式図である。
【図５】図５は、第１の実施形態における検査種別検査時間テーブルの一例を示す模式図である。
【図６】図６は、第１の実施形態における装置別付帯設備テーブルの一例を示す模式図である。
【図７】図７は、第１の実施形態における装置別操作者テーブルの一例を示す模式図である。
【図８】図８は、第１の実施形態における操作者別優先検査種テーブルの一例を示す模式図である。
【図９】図９は、第１の実施形態における装置別仕様テーブルの一例を示す模式図である。
【図１０】図１０は、第１の実施形態における検査種別優先仕様テーブルの一例を示す模式図である。
【図１１】図１１は、第１の実施形態における装置別スケジュール管理テーブルの一例を示す模式図である。
【図１２】図１２は、第１の実施形態における装置別スケジュール管理テーブルの一例を示す模式図である。
【図１３】図１３は、第１の実施形態における装置別スケジュール管理テーブルの一例を示す模式図である。
【図１４】図１４は、第１の実施形態における動作を説明するためのフローチャートである。
【図１５】図１５は、第１の実施形態におけるステップＳＴ２０の動作を説明するためのフローチャートである。
【図１６】図１６は、第１の実施形態におけるステップＳＴ２２乃至ＳＴ２４の動作における複数の例を説明するためのフローチャートである。
【図１７】図１７は、第１の実施形態における検査オーダの割り当て結果を説明するための模式図である。
【図１８】図１８は、第２の実施形態に係る検査スケジュール管理装置が用いる検査種別検査時間テーブルの一例を示す模式図である。
【図１９】図１９は、第３の実施形態に係る検査スケジュール管理装置に表示される検査スケジュールの一例を示す模式図である。
【図２０】図２０は、第３の実施形態における検査装置に表示される検査スケジュールの一例を示す模式図である。
【図２１】図２１は、第３の実施形態における待合スペース向けの表示画面の一例を示す模式図である。
【図２２】図２２は、第４の実施形態に係る検査スケジュール管理装置から通信可能な患者端末における表示画面の一例を示す模式図である。
【図２３】図２３は、第４の実施形態における患者端末の表示画面の他の例を示す模式図である。
【発明を実施するための形態】
【０００８】
以下、各実施形態について図面を用いて説明する。なお、以下の説明中、「割り当て」の用語は、適宜、「振り分け」、「割り振り」、「スケジュール」、「スケジューリング」等に適宜、読み替えてもよい。同様に、「再割り当て」の用語は、適宜、「再振り分け」、「再割り振り」、「再スケジュール」、「再スケジューリング」等に適宜、読み替えてもよい。
【０００９】
＜第１の実施形態＞
図１は、第１の実施形態に係る検査スケジュール管理装置及びその周辺構成の一例を示すブロック図であり、図２は、検査スケジュール管理装置の構成例を示すブロック図である。図３乃至図１３は、検査スケジュール管理装置に記憶される各テーブルの一例を示す模式図である。
【００１０】
検査スケジュール管理装置１０は、図１に示すように、ネットワークＮｗを介して、複数の通信装置２０〜２５、モニタ装置３０、第１〜第３ＣＴ（Computed tomography）装置ＣＴ１〜ＣＴ３、ＭＲＩ（Magnetic Resonance Imaging）装置ＭＲ１、超音波診断装置ＵＳ１に接続されている。また、検査スケジュール管理装置１０は、ネットワークＮｗ及び通信装置２０〜２７を介して複数の患者端末Ｔｉに通信可能となっている。ここで、モニタ装置３０及び通信装置２０は、待合スペースＲ０に配置されている。第１ＣＴ装置ＣＴ１、第２ＣＴ装置ＣＴ２、第３ＣＴ装置ＣＴ３、ＭＲＩ装置ＭＲ１、超音波診断装置ＵＳ１の各々は検査装置の一例であり、第１乃至第５検査室Ｒ１〜Ｒ５に個別に配置されている。通信装置２１〜２７は、それぞれ第１乃至第５検査室Ｒ１〜Ｒ５及び廊下ｃｒに個別に配置されている。各通信装置２０〜２７は、ネットワークＮｗと患者端末Ｔｉとの間を無線で接続する通信インタフェースである。この種の通信装置２０〜２７としては、例えば、ＷｉＦｉ（登録商標）の機器やＢｌｕｅｔｏｏｔｈ（登録商標）に対応する機器などを配置してもよい。各通信装置２０〜２７には、一般のインターネット回線からアクセスしても良い。このような各通信装置は、図示した８台の通信装置２０〜２７以外にも、病院内の廊下や他の検査室などに配置可能となっている。各々の患者端末Ｔｉは、患者が所有する情報端末でもよく、医療機関が患者に貸与する情報端末でもよい。情報端末としては、スマートフォン、携帯電話、ＰＤＡ（Personal Digital Assistant）などが適宜、使用可能となっている。なお、このような検査スケジュール管理装置及びその周辺構成は、検査スケジュール管理システムと呼んでもよい。
【００１１】
検査スケジュール管理装置１０は、図２に示すように、通信インタフェース１１、メモリ１２、ディスプレイ１３、入力インタフェース１４及び処理回路１５を備えている。
【００１２】
通信インタフェース１１は、有線、無線又はその両方にてネットワークＮｗ等を介して、モニタ装置３０、第１〜第３ＣＴ装置ＣＴ１〜ＣＴ３、ＭＲＩ装置ＭＲ１、超音波診断装置ＵＳ１、患者端末Ｔｉと通信するための回路である。
【００１３】
メモリ１２は、ＨＤＤ（Hard Disk Drive）など電気的情報を記録するメモリ本体と、それらメモリ本体に付随するメモリコントローラやメモリインタフェースなどの周辺回路とを備えている。メモリ１２は、各テーブルや、処理途中のデータ、処理後のデータ、本検査スケジュール管理装置１０を制御するプログラム等を記憶する。
【００１４】
各テーブルは、各々の検査種の特性、検査種に対応する各々の検査装置の特性、検査装置を操作する各々の操作者の特性、検査装置のスケジュール等を表す。すなわち、メモリ１２は、各々の検査種の特性を記憶すると共に、検査種に対応する各々の検査装置の特性と、検査装置を操作する各々の操作者の特性とのうちの少なくとも１つの特性を記憶する記憶手段を構成している。例えば、メモリ１２は、検査種の特性及び検査装置の特性を記憶してもよい。また、メモリ１２は、検査種の特性及び操作者の特性を記憶してもよい。あるいは、メモリ１２は、検査種の特性、検査装置の特性及び操作者の特性を記憶してもよい。なお、検査種の特性、検査装置の特性及び操作者の特性をまとめて、「検査環境の特性」、「トータルスペック」又は「検査に関する特性」などのように、１つの名称で呼んでもよい。
【００１５】
各テーブルとしては、図３乃至図１３に示すように、検査種別検査装置テーブル１２１、検査種別付帯設備テーブル１２２、検査種別検査時間テーブル１２３、装置別付帯設備テーブル１２４、装置別操作者テーブル１２５、操作者別優先検査種テーブル１２６、装置別仕様テーブル１２７、検査種別優先仕様テーブル１２８、装置別スケジュール管理テーブル１２９等がある。例えば、検査種別検査装置テーブル１２１、検査種別付帯設備テーブル１２２、検査種別検査時間テーブル１２３、検査種別優先仕様テーブル１２８は、各々の検査種の特性を表す。装置別付帯設備テーブル１２４、装置別仕様テーブル１２７は、各々の検査装置の特性を表す。装置別操作者テーブル１２５、操作者別優先検査種テーブル１２６は、各々の操作者の特性を表す。装置別スケジュール管理テーブル１２９は、検査装置のスケジュールを表す。なお、この分類は、便宜的なものであり、適宜、変更してもよい。装置別付帯設備テーブル１２４は、検査室の特性を表すものに分類してもよい。また例えば、装置別操作者テーブル１２５は、検査装置の特性を表すものに分類してもよい。各テーブル１２１〜１２９としては、主に、ＣＴの検査種と、第１〜第３ＣＴ装置ＣＴ１〜ＣＴ３とに関する例を図示しているが、これに限定されない。各テーブルの構造は、一様態を示したものであり、テーブルの分割・統合・省略、テーブルのカラムの追加等については様々なバリエーションが可能である。このような各テーブル１２１〜１２９は、処理回路１５の管理機能１５１、割り当て機能１５２、表示制御機能１５３、通知機能１５４及び再割り当て機能１５５から読出／書込可能となっている。
【００１６】
ここで、検査種別検査装置テーブル１２１は、図３に示すように、検査種と、検査装置ＩＤとが対応付けて設定されている。本明細書中、「ＩＤ」は「識別情報」又は「識別子」と読み替えてもよい。図３中、検査種としては、頭部単純、頭部造影、頭部ＣＴＡ、頚部造影、心大血管、冠動脈造影、心筋パーフュージョン、…、下肢造影が設定されている。このような検査種別検査装置テーブル１２１は、例えば、検査種「頭部造影」に対応する検査装置ＩＤが「ＣＴ１」、「ＣＴ２」及び「ＣＴ３」である場合、頭部造影の検査には、第１〜第３ＣＴ装置ＣＴ１〜ＣＴ３の各々が対応可能であることを示している。
【００１７】
検査種別付帯設備テーブル１２２は、図４に示すように、検査種と、付帯設備とが対応付けて設定されている。図４中、検査種としては、頭部単純、頭部造影、頭部ＣＴＡ、頚部造影、心大血管、冠動脈造影、心筋パーフュージョン、小児造影、…、下肢造影が設定されている。このような検査種別付帯設備テーブル１２２は、例えば、検査種「冠動脈造影」に対応する付帯設備が「造影装置」及び「心電計」である場合、冠動脈造影の検査には、造影装置及び心電計が必要であることを示している。
【００１８】
検査種別検査時間テーブル１２３は、図５に示すように、検査種と、検査時間統計と、準備時間統計とが対応付けて設定されている。図５中、検査種としては、頭部単純、頭部造影、頭部ＣＴＡ、頚部造影、心大血管、冠動脈造影、心筋パーフュージョン、…、下肢造影が設定されている。このような検査種別検査時間テーブル１２３は、例えば、検査種「冠動脈造影」に対応する検査時間統計及び準備時間統計が「２０：００」、「５：００」である場合、心筋パーフュージョンの検査には、統計上、検査時間が２０分、準備時間が５分かかっていたことを示している。
【００１９】
装置別付帯設備テーブル１２４は、図６に示すように、検査装置ＩＤと、付帯設備と、検査室ＩＤとが対応付けて設定されている。このような装置別付帯設備テーブル１２４は、例えば、検査装置ＩＤ「ＣＴ３」に対応する付帯設備が「造影装置」及び「心電計」であり、検査室ＩＤが「Ｒ３」の場合、第３ＣＴ装置ＣＴ３、造影装置及び心電計が第３検査室Ｒ３に配置されていることを示している。
【００２０】
装置別操作者テーブル１２５は、図７に示すように、日付と、検査装置ＩＤと、操作者ＩＤとが対応付けて設定されている。このような装置別操作者テーブル１２５は、例えば、日付「2017/10/02」に検査装置ＩＤ「ＣＴ３」及び操作者ＩＤ「Ｕ３」が対応する場合、２０１７年１０月２日の第３ＣＴ装置ＣＴ３の操作担当が操作者Ｕ３であることを示している。
【００２１】
操作者別優先検査種テーブル１２６は、図８に示すように、操作者ＩＤと、優先させる検査種とが対応付けて設定されている。このような操作者別優先検査種テーブル１２６は、例えば、操作者ＩＤ「Ｕ１」と、優先させる検査種「小児造影」、「胸部単純」、「…」とが対応する場合、操作者Ｕ１が小児麻痺、胸部単純、…等の検査を得意とすることを示している。
【００２２】
装置別仕様テーブル１２７は、図９に示すように、検査装置ＩＤと、型番、列数等といった仕様とが対応付けて設定されている。このような装置別仕様テーブル１２７は、例えば、検査装置ＩＤ「ＣＴ３」に型番「ｘｘｘ−ｘｘｘ３」及び列数「３２０」が対応する場合、第３ＣＴ装置ＣＴ３の仕様が型番ｘｘｘ−ｘｘｘ３、列数３２０であることを示している。なお、装置別仕様テーブル１２７に代えて、装置別仕様を含むカタログ情報を用いてもよい。この種のカタログ情報は、例えば、検査装置からネットワークＮｗを介して処理回路１５が取得してもよく、装置メーカのサーバ装置又は遠隔保守システムから専用ネットワークを介して処理回路１５が取得してもよい。所得したカタログ情報は、処理回路１５によりメモリ１２に保存される。
【００２３】
検査種別優先仕様テーブル１２８は、図１０に示すように、検査種と、優先させる仕様と、条件とが対応付けて設定されている。図１０中、検査種としては、頭部単純、頭部造影、頭部ＣＴＡ、頚部造影、心大血管、冠動脈造影、心筋パーフュージョン、小児造影、…、下肢造影が設定されている。このような検査種別優先仕様テーブル１２８は、例えば、検査種「冠動脈造影」と、優先させる仕様「列数」及び条件「３２０以上」とが対応する場合、冠動脈造影の検査には、列数３２０以上の仕様を満たす検査装置を優先的に割り当てることを示している。単純撮影の場合、再構成時間が速い検査装置を優先させる等の割り当てを実行してもよい。優先させる仕様及び条件は、医療機関の戦略（strategy）に応じて、適宜、設定可能である。優先させる仕様及び条件の設定は、操作者による入力インタフェース１４の操作に応じて実行してもよく、図示しないサーバ装置が推論エンジンを用いて実行してもよい。例えば、サーバ装置は、心臓に関する検査種に対し、推論エンジンにより、複数の検査装置のうちで最大の列数をもつ検査装置を選択するように、優先させる仕様及び条件を設定してもよい。
【００２４】
装置別スケジュール管理テーブル１２９は、図１１乃至図１３に示すように、受付日時、検査装置ＩＤ、検査オーダ、準備開始予定時刻、準備開始時刻、検査開始予定時刻、検査開始時刻、検査終了予定時刻、検査終了時刻、検査状態、患者ＩＤ、患者端末ＩＤの対応表である。このような装置別スケジュール管理テーブル１２９は、検査装置毎に、検査スケジュールの進捗状況等を示している。ここで、受付日時は、検査オーダの入力を受け付けた日時を示している。検査オーダは、受付番号と検査種とを含むオーダ情報である。準備開始予定時刻は、割り当て済みの末尾の検査終了予定時刻から、割り当てる検査オーダ（検査種）の準備時間統計だけ戻った時刻である。準備開始時刻は、実際に患者が検査の準備を開始した時刻である。なお、次の検査の準備は、検査室に入る前の前室（図示せず）において、検査装置による現在の検査に並行して行われる。検査開始予定時刻は、例えば、割り当て済みの末尾の検査終了予定時刻と同じ時刻が設定される。検査開始時刻は、実際に患者の検査を開始した時刻である。検査終了予定時刻は、検査開始予定時刻から検査オーダ（検査種）の検査時間統計だけ進んだ時刻である。検査開始時刻は、実際に患者の検査を終了した時刻である。検査状態は、患者が検査中の状態か、患者が待ち状態かを示している。患者ＩＤは、患者を識別する情報である。患者端末ＩＤは、患者端末Ｔｉを識別する情報であり、例えば、通知情報の送信に用いるアドレス情報が使用可能となっている。
【００２５】
ディスプレイ１３は、図２に示すように、検査スケジュールなどを表示するディスプレイ本体と、ディスプレイ本体に表示用の信号を供給する内部回路、ディスプレイ本体と内部回路とをつなぐコネクタやケーブルなどの周辺回路から構成されている。内部回路は、処理回路１５の表示制御機能１５ｃから供給される画像データに、適宜、現在時刻等の付帯情報を重畳して表示データを生成し、得られた表示データに対しＤ／Ａ変換とＴＶフォーマット変換を行なってディスプレイ本体に表示する。
【００２６】
入力インタフェース１４は、病院の職員等からの各種指示・命令・情報・選択・設定を検査スケジュール管理装置１０に入力するためのトラックボール、スイッチボタン、マウス、キーボード、操作面へ触れることで入力操作を行うタッチパッド、及び表示画面とタッチパッドとが一体化されたタッチパネルディスプレイ等によって実現される。入力インタフェース１４は、処理回路１５に接続されており、職員等から受け取った入力操作を電気信号へ変換し処理回路１５へと出力する。なお、本明細書において入力インタフェース１４はマウス、キーボードなどの物理的な操作部品を備えるものだけに限られない。例えば、装置とは別体に設けられた外部の入力機器から入力操作に対応する電気信号を受け取り、この電気信号を処理回路１５へ出力する電気信号の処理回路も入力インタフェース１４の例に含まれる。
【００２７】
処理回路１５は、メモリ１２内のプログラムを呼び出し実行することにより、プログラムに対応する管理機能１５１、割り当て機能１５２、表示制御機能１５３、通知機能１５４及び再割り当て機能１５５を実現するプロセッサである。なお、図２においては単一の処理回路１５にて管理機能１５１、割り当て機能１５２、表示制御機能１５３、通知機能１５４及び再割り当て機能１５５が実現されるものとして説明したが、複数の独立したプロセッサを組み合わせて処理回路を構成し、各プロセッサがプログラムを実行することにより各機能を実現するものとしても構わない。また、管理機能１５１、割り当て機能１５２、表示制御機能１５３、通知機能１５４及び再割り当て機能１５５は、それぞれ管理回路、割り当て回路、表示制御回路、通知回路及び再割り当て回路と呼んでもよく、個別のハードウェア回路として実装してもよい。各機能の一部は、図示しないサーバ装置上で動作させ、連携して実行することも可能である。
【００２８】
管理機能１５１は、各テーブル１２１〜１２９を管理する機能と、割り当て機能１５２、表示制御機能１５３、通知機能１５４及び再割り当て機能１５５を制御する機能とをもっている。管理機能１５１は、例えば、入力インタフェース１４の操作に応じて、各テーブル１２１〜１２９を設定する。管理機能１５１は、例えば、入力インタフェース１４の操作又は検査装置からの通信により、装置別スケジュール管理テーブル１２９を設定（更新）する。また、管理機能１５１は、更新した装置別スケジュール管理テーブル１２９から検査時間、準備時間の統計データを作成し、得られた検査時間統計、準備時間統計を用いて検査種別検査時間テーブル１２３を設定（更新）してもよい。
【００２９】
割り当て機能１５２は、検査種を含む検査オーダの入力を受け付けると、メモリ１２に記憶された特性に基づき、検査オーダをいずれかの検査装置に割り当てる機能である。
【００３０】
例えば図４及び図６に示すように、メモリ１２が検査種の特性として付帯設備を記憶すると共に、検査装置の特性として付帯設備を記憶したとする。この場合、割り当て機能１５２は、付帯設備が共通する検査種及び検査装置に基づいて、当該検査種を含む検査オーダを当該検査装置に割り当てることが可能である。
【００３１】
また図１０及び図９に示すように、メモリ１２が検査種の特性として優先させる仕様の条件を記憶すると共に、検査装置の特性として仕様を記憶したとする。この場合、割り当て機能１５２は、検査種の特性を満たす特性をもつ検査装置に基づいて、当該検査種を含む検査オーダを当該検査装置に割り当てることが可能である。
【００３２】
また図８に示すように、メモリ１２が操作者の特性として優先させる検査種を記憶したとする。この場合、割り当て機能１５２は、操作者の特性に対応する検査種及び当該操作者に操作される検査装置に基づいて、当該検査種を含む検査オーダを当該検査装置に割り当てることが可能である。
【００３３】
このように、割り当て機能１５２は、検査種の特性、検査装置の特性、操作者の特性といった検査環境の特性に基づき、検査オーダを割り当て可能となっている。
【００３４】
なお、検査種の特性、検査装置の特性、操作者の特性が競合した場合、例えば、検査種の特性、検査装置の特性、操作者の特性、の順に優先的に割り当てを実行してもよい。また、この優先順は、適宜、変更してもよい。
【００３５】
これに加え、割り当て機能１５２は、図５に示すように、メモリ１２が過去の検査種毎の検査時間の統計データを更に記憶した場合、当該統計データに基づき、時間的余裕を持たせて、検査オーダを検査装置に割り当てるようにしてもよい。「時間的余裕」は、例えば「過去の検査時間の平均値よりも長い検査時間」とすればよい。すなわち、検査時間の統計データが検査時間の平均値である場合、割り当てる際には、平均値に余裕時間を足した時間を割り当てるようにすればよい。例えば平均値＋２．５σに相当する時間を割り当てることにより、再割り当て（再スケジュール）の可能性を低減できる。
【００３６】
割り当て機能１５２は、図５に示すように、メモリ１２が検査種毎の患者準備時間（準備時間統計）を更に記憶した場合、検査オーダを割り当てるときに、当該患者準備時間に基づいて準備開始予定時刻を設定するようにしてもよい（図１１〜図１３）。
【００３７】
表示制御機能１５３は、処理回路１５の処理結果などをディスプレイ１３に表示させるように表示制御する機能である。
【００３８】
通知機能１５４は、割り当て機能１５２により割り当てた結果を含む通知情報を出力する機能である。出力先としては、患者端末Ｔｉ、モニタ装置３０、第１〜第３ＣＴ装置ＣＴ１〜ＣＴ３、ＭＲＩ装置ＭＲ１、超音波診断装置ＵＳ１などが適宜、使用可能となっている。ここで、通知機能１５４は、出力先に応じて通知情報を作成可能となっている。例えば、モニタ装置３０が出力先の場合、通知機能１５４は、少なくとも受付番号を含む通知情報を作成すればよい。また例えば、患者端末Ｔｉが出力先の場合、通知機能１５４は、後述する詳細情報又は概略情報を含む通知情報を作成可能となっている。また例えば、第１〜第３ＣＴ装置ＣＴ１〜ＣＴ３が出力先の場合、通知機能１５４は、装置別スケジュール管理テーブル１２９に基づいて、割り当てた結果を含む通知情報を作成可能となっている。
【００３９】
また、通知機能１５４は、割り当て機能１５２により設定された準備開始予定時刻に基づいて、新たな通知情報を出力してもよい。新たな通知情報が患者を呼び出す情報の場合、出力タイミングを準備開始予定時刻より前のタイミングとし、出力先を患者端末Ｔｉとすればよい。
【００４０】
また、通知機能１５４は、検査の待ち時間に応じて患者端末Ｔｉに通知する内容を調節するようにしてもよい。例えば、通知機能１５４は、検査の準備開始予定時刻と現在時刻との差分に対応する待ち時間に応じた案内を含むように通知情報を作成してもよい。ここで、通知機能１５４は、待ち時間が短い患者に対しては詳細な内容を通知し、待ち時間が長い患者に対しては概略情報のみを通知するようにしてもよい。具体的には、通知機能１５４は、当該待ち時間が第１閾値未満の場合には詳細案内を含むように通知情報を作成し、待ち時間が第１閾値以上の場合には概略案内を含むように通知情報を作成してもよい。「詳細案内」、「概略案内」は、それぞれ「詳細情報」、「概略情報」のように呼んでもよい。
【００４１】
通知機能１５４は、割り当てた検査オーダに対応する患者が検査室付近にいるか否かを検査室内の検査装置（の操作者）に通知してもよい。検査室付近の患者の検出には、ＷｉＦｉ（登録商標）、Ｂｌｕｅｔｏｏｔｈ（登録商標）などの既存技術を通信装置２０〜２５に用いてもよい。
【００４２】
再割り当て機能１５５は、待ち時間が長い患者に対してのみ、再割り当てを行なうようにしてもよい。具体的には例えば、再割り当て機能１５５は、待ち時間が第１閾値より大きい第２閾値以上の場合に対応する検査オーダに対し、割り当て機能１５２による割り当てを再実行させる機能である。言い換えると、再割り当て機能１５５は、割り当て機能１５２を制御する機能である。
【００４３】
次に、以上のように構成された検査スケジュール管理装置の動作について図１４乃至図１７を用いて説明する。
【００４４】
（ステップＳＴ１０）
いま、検査スケジュール管理装置１０では、操作者による入力インタフェース１４の操作に応じて、検査種を含む検査オーダが処理回路１５に入力されたとする。
【００４５】
処理回路１５は、検査オーダが入力された場合にはステップＳＴ２０に移行し、他の場合にはステップＳＴ３０に移行する。
【００４６】
（ステップＳＴ２０）
処理回路１５の割り当て機能１５２は、検査種を含む検査オーダの入力を受け付けると、メモリ１２に記憶された特性に基づき、検査オーダをいずれかの検査装置に割り当てる。このステップＳＴ２０は、例えば図１５のステップＳＴ２１〜ＳＴ２４に示すように実行される。ここで、ステップＳＴ２２〜ＳＴ２４は、図１６の例１〜３のいずれかに示すように実行してもよい。例１は、付帯設備に基づく割り当て動作を示す。例２は、検査装置の仕様に基づく割り当て動作を示す。例３は、操作者の得意な検査種に基づく割り当て動作を示す。
【００４７】
始めに、割り当て機能１５２は、検査オーダから検査種を抽出する（ステップＳＴ２１）。
【００４８】
ステップＳＴ２１の後、割り当て機能１５２は、抽出した検査種に基づいてメモリ１２内の各テーブルを検索する（ステップＳＴ２２）。
【００４９】
ステップＳＴ２２の例１の場合、割り当て機能１５２は、抽出した検査種に基づいて、検査種別検査装置テーブル１２１、検査種別付帯設備テーブル１２２及び検査種別検査時間テーブル１２３を検索する。これにより、検索結果として、検査装置ＩＤ、検査時間統計、準備時間統計、付帯設備を得る。
【００５０】
ステップＳＴ２２の例２〜３の場合、割り当て機能１５２は、抽出した検査種に基づいて、検査種別検査装置テーブル１２１及び検査種別検査時間テーブル１２３を検索する。これにより、検索結果として、検査装置ＩＤ、検査時間統計、準備時間統計を得る。
【００５１】
ステップＳＴ２２の後、割り当て機能１５２は、検索結果に含まれる検査装置ＩＤに基づいて、各テーブルを検索する（ステップＳＴ２３）。
【００５２】
ステップＳＴ２３の例１の場合、割り当て機能１５２は、検査装置ＩＤに基づいて、装置別付帯設備テーブル１２４を検索する。これにより、検索結果として、付帯設備、検査室ＩＤを得る。
【００５３】
ステップＳＴ２３の例２の場合、割り当て機能１５２は、検査種に基づいて、検査種別優先仕様テーブル１２８を検索し、検索結果として、優先させる仕様、条件を得る。また、割り当て機能１５２は、検査装置ＩＤに基づいて、装置別仕様テーブル１２７を検索し、検索結果として、型番、列数等を含む仕様を得る。
【００５４】
ステップＳＴ２３の例３の場合、割り当て機能１５２は、検査装置ＩＤに基づいて、装置別操作者テーブル１２５を検索し、検索結果として、操作者ＩＤ、日付を得る。続いて、割り当て機能１５２は、この操作者ＩＤに基づいて、操作者別優先検査種テーブル１２６を検索し、検索結果として、優先させる検査種を得る。
【００５５】
ステップＳＴ２３の後、割り当て機能１５２は、各々の検索結果に基づいて、検査オーダを検査装置に割り当てる（ステップＳＴ２４）。このとき、割り当て機能１５２は、検索結果に含まれる検査時間統計に基づき、過去の検査時間の平均値よりも長い検査時間を持たせて、検査オーダを検査装置に割り当てる。また、割り当て機能１５２は、検査オーダを割り当てるときに、検索結果に含まれる準備時間統計に基づいて準備開始予定時刻を設定する。
【００５６】
ステップＳＴ２４の例１の場合、割り当て機能１５２は、検査種に必要な付帯設備に対応する検査装置ＩＤを選択する。これにより、割り当て機能１５２は、付帯設備が共通する検査種及び検査装置に基づいて、当該検査種を含む検査オーダを当該検査装置に割り当てる。例えば、付帯設備が「造影装置」及び「心電計」で共通する検査種「冠動脈造影」を含む検査オーダを第３ＣＴ装置ＣＴ３に割り当てる。すなわち、心電計を用いる検査については、心電計を備えた検査装置に割り当てる。
【００５７】
ステップＳＴ２４の例２の場合、割り当て機能１５２は、優先させる仕様の条件を満たす仕様に対応する検査装置ＩＤを選択する。これにより、割り当て機能１５２は、検査種の特性を満たす特性をもつ検査装置に基づいて、当該検査種を含む検査オーダを当該検査装置に割り当てる。例えば、検査種「冠動脈造影」の検査には、「列数３２０以上」の仕様を満たす仕様「列数３２０」をもつ第３ＣＴ装置ＣＴ３を割り当てる。すなわち、心臓の検査については、面積の大きいＸ検出器を備えた検査装置に割り当てる。
【００５８】
ステップＳＴ２４の例３の場合、優先させる検査種に対応する操作者ＩＤに対応する検査装置ＩＤを選択する。これにより、割り当て機能１５２は、操作者の特性に対応する検査種及び当該操作者に操作される検査装置に基づいて、当該検査種を含む検査オーダを当該検査装置に割り当てる。例えば、操作者の特性「優先させる検査種：小児造影」に対応する検査種「小児造影」及び当該操作者に操作される第１ＣＴ装置ＣＴ１に基づいて、当該検査種「小児造影」を含む検査オーダを第１ＣＴ装置ＣＴ１に割り当てる。すなわち、小児の検査については、小児の扱いの上手な操作者がいる検査装置に割り当てる。
【００５９】
なお、ステップＳＴ２４において、例１〜３のいずれにしても、割り当て機能１５２は、各検査装置間で、最終の検査終了予定時刻の差を小さくするように割り当てを実行し、装置別スケジュール管理テーブル１２９を設定する。言い換えると、割り当て機能１５２は、割り当て結果が少数の検査装置に偏らないように、装置別スケジュール管理テーブル１２９を設定する。これにより、図１７に示すように、様々な検査種を含む検査オーダがいずれかの検査装置に割り当てられる。例えば図１１に示す装置別スケジュール管理テーブル１２９において、検査オーダ「００１：小児造影」は、準備開始予定時刻「１０：００」、検査開始予定時刻「１０：１０」、検査終了予定時刻「１０：２５」として、検査装置ＩＤ「ＣＴ１」の検査装置に割り当てられる。このような検査オーダ「００１：小児造影」の割り当て結果は、図１７中、「ＣＴ１」の列の１０：００の線に接する第１四角形と、第１四角形の右下隅に接する第２四角形とにより表示される。第１四角形は、前室における患者の準備時間を示している。第２四角形は、検査室における検査時間を示している。
【００６０】
（ステップＳＴ３０）
ステップＳＴ２０の後、処理回路１５の表示制御機能１５３は、装置別スケジュール管理テーブル１２９に基づいて、図１７の右側に示す如き、検査スケジュールをディスプレイ１３に表示させるように表示制御する。表示制御機能１５３は、現在時刻の進行や検査の進捗に応じて装置別スケジュール管理テーブル１２９を更新すると共に、更新後の装置別スケジュール管理テーブル１２９に基づく検査スケジュールをディスプレイ１３に表示させる。
【００６１】
（ステップＳＴ４０）
ステップＳＴ３０の後、処理回路１５の通知機能１５４は、装置別スケジュール管理テーブル１２９に基づいて、割り当てた結果を含む通知情報を患者端末Ｔｉに送信する。
【００６２】
また、通知機能１５４は、装置別スケジュール管理テーブル１２９内の準備開始予定時刻に基づいて、患者を呼び出すための新たな通知情報を患者端末Ｔｉに送信する。すなわち、検査種ごとの準備時間（造影、心電計の装着など）も考慮して患者に待ち時間通知や、呼び出しを行なう。
【００６３】
このとき、通知機能１５４は、検査の準備開始予定時刻と現在時刻との差分に対応する待ち時間に応じた案内を含むように通知情報を作成する。具体的には待ち時間が第１閾値未満の場合には詳細案内（検査室、待ち人数など）を含むように通知情報を作成し、待ち時間が第１閾値以上の場合には概略案内（粒度の粗い待ち時間など）を含むように通知情報を作成する。しかる後、通知機能１５４は、作成した通知情報を患者端末Ｔｉに送信する。
【００６４】
（ステップＳＴ５０〜ＳＴ６０）
ステップＳＴ４０の後、処理回路１５の再割り当て機能１５５は、患者の待ち時間が長いか否かを判定し（ステップＳＴ５０）、待ち時間が長い患者に対してのみ、割り当て機能１５２による割り当てを再実行させる（ステップＳＴ６０）。具体的には、再割り当て機能１５５は、待ち時間が第１閾値より大きい第２閾値以上の場合に対応する検査オーダに対し、割り当て機能１５２による割り当てを再実行させる。ステップＳＴ５０の判定の結果、待ち時間が短い場合には、ステップＳＴ６０を実行せず、ステップＳＴ７０に移行する。
【００６５】
（ステップＳＴ７０）
ステップＳＴ５０〜ＳＴ６０の後、処理回路１５の通知機能１５４は、割り当てた検査オーダに対応する患者が検査室付近にいるか否かを検査室内の検査装置に通知する。
【００６６】
例えば通信装置２１〜２３は、検査室Ｒ１〜Ｒ３付近の患者端末Ｔｉを無線により検出し、患者端末Ｔｉの患者端末ＩＤを含む検出結果を検査スケジュール管理装置１０に通知する。
【００６７】
処理回路１５の通知機能１５４は、この検出結果に基づいて、患者端末ＩＤに対応する患者ＩＤの患者が検査室Ｒ１〜Ｒ３付近にいるか否かを検査室Ｒ１〜Ｒ３内の第１〜第３ＣＴ装置ＣＴ１〜ＣＴ３に通知する。これにより、例えば、検査オーダ「００７：下肢造影」の患者が検査室Ｒ２付近にいない場合、第２ＣＴ装置ＣＴ２では、検査オーダ「００７：下肢造影」の検査時間を示す第２四角形が目立つように表示される。
【００６８】
（ステップＳＴ８０）
処理回路１５の管理機能１５１は、装置別スケジュール管理テーブル１２９及び現在時刻に基づいて、装置別スケジュール管理テーブル１２９内の全ての検査が終了し、且つ現在時刻が終業時刻を過ぎたか否かにより、１日の検査が終了したか否かを判定する。藩邸の結果、否の場合にはステップＳＴ１０に移行する。また、判定の結果、１日の検査が終了した場合には、処理を終了する。
【００６９】
上述したように本実施形態によれば、各々の検査種の特性を記憶すると共に、検査種に対応する各々の検査装置の特性と、検査装置を操作する各々の操作者の特性とのうちの少なくとも１つの特性を記憶する。検査種を含む検査オーダの入力を受け付けると、記憶された特性に基づき、検査オーダをいずれかの検査装置に割り当てる。当該割り当てた結果を含む通知情報を出力する。このように、検査種の特性、検査装置の特性、操作者の特性との少なくとも１つに基づいて検査オーダを割り当てるので、検査オーダをより適切に割り当てることができる。
【００７０】
これに加え、本実施形態は、以下の作用効果を有するように実施してもよい。  
本実施形態によれば、検査種の特性として付帯設備を記憶すると共に、検査装置の特性として付帯設備を記憶する。付帯設備が共通する検査種及び検査装置に基づいて、当該検査種を含む検査オーダを当該検査装置に割り当てる。従って、付帯設備という特性に基づいて、検査オーダをより適切に割り当てることができる。例えば、検査装置の付帯設備に心電計がある場合、前述同様に、心臓に関する検査オーダを、心電計を備えた検査装置に割り当てる方がより適切である。
【００７１】
また、本実施形態によれば、検査種の特性として優先させる仕様の条件を記憶すると共に、検査装置の特性として仕様を記憶する。検査種の特性を満たす特性をもつ検査装置に基づいて、当該検査種を含む検査オーダを当該検査装置に割り当てる。従って、検査装置の仕様という特性に基づいて、検査オーダをより適切に割り当てることができる。例えば、検査装置の仕様にＸ線検出器の列数がある場合、広い撮影面積が必要な心臓に関する検査オーダを、列数が多い方の検査装置に割り当てる方がより適切である。
【００７２】
また、本実施形態によれば、操作者の特性として優先させる検査種を記憶する。操作者の特性に対応する検査種及び当該操作者に操作される検査装置に基づいて、当該検査種を含む検査オーダを当該検査装置に割り当てる。従って、優先させる検査種という操作者の特性に基づいて、検査オーダをより適切に割り当てることができる。例えば、小児造影の得意な技師とそうでない技師とがいる場合、同一型番の検査装置（ＣＴ１，ＣＴ２）間であっても、小児造影の検査オーダを、小児造影の得意な技師に操作される検査装置（ＣＴ１）に割り当てる方がより適切である。
【００７３】
また、本実施形態によれば、過去の検査種毎の検査時間の統計データを更に記憶する。統計データに基づき、過去の検査時間の平均値よりも長い検査時間を持たせて、検査オーダを検査装置に割り当てる。従って、検査時間に余裕時間を持たせて、検査オーダをより適切に割り当てることができる。また、検査時間に余裕時間を持たせるため、検査遅れや再割り当ての発生頻度を下げることができる。このような余裕時間を持たせる利点は、患者準備時間についても同様である。
【００７４】
また、本実施形態によれば、検査種毎の患者準備時間を更に記憶する。検査オーダを割り当てるときに、患者準備時間に基づいて準備開始予定時刻を設定する。準備開始予定時刻に基づいて、新たな通知情報を出力する。従って、準備開始予定時刻に間に合うように、患者を呼び出すことができる。
【００７５】
また、本実施形態によれば、検査の準備開始予定時刻と現在時刻との差分に対応する待ち時間に応じた案内を含むように通知情報を作成する。これにより、待ち時間に応じた案内を含む通知情報を患者に提示することができる。
【００７６】
また、本実施形態によれば、待ち時間が第１閾値未満の場合には詳細案内を含むように通知情報を作成する。待ち時間が第１閾値以上の場合には概略案内を含むように通知情報を作成する。このように、待ち時間が長い場合には概略案内しか通知しないため、概略案内の内容を訂正せずに、再割り当てを実行することが可能となる。例えば、準備開始予定時刻といった詳細案内を通知せず、準備開始までの予定待ち時間といった概略案内を通知した場合、検査遅れにより再割り当てを実行しても、通知した概略案内を訂正するなどの不都合が発生しない。すなわち、再割り当ての際の患者への影響（通知情報の訂正）を最小限にすることができる。
【００７７】
また、本実施形態によれば、待ち時間が第１閾値より大きい第２閾値以上の場合に対応する検査オーダに対し、割り当て手段による割り当てを再実行させる。これにより、待ち時間が長い場合に、割り当てをし直すことができる。
【００７８】
また、本実施形態によれば、割り当てた検査オーダに対応する患者が検査室付近にいるか否かを検査室内の検査装置に通知する。これにより、検査装置の操作者が、患者の所在を確認することができる。
【００７９】
＜第２の実施形態＞
次に、第２の実施形態について説明する。
【００８０】
第２の実施形態は、第１の実施形態の変形例であり、図１８に一部を示すように、検査種別検査時間テーブル１２３において、検査種毎に、検査時間統計の平均値、検査時間統計の標準偏差、検査時間統計の＋２．５σ値、検査時間統計の最大時間を記録している。なお、図示しないが、検査種別検査時間テーブル１２３においては、準備時間統計も同様に、検査種毎に、平均値、標準偏差、＋２．５σ値、最大時間を記録している。
【００８１】
これに伴い、処理回路１５の割り当て機能１５２は、前述した機能に加え、検査オーダを割り当てる際に、検査種別検査時間テーブル１２３内の平均値、標準偏差、＋２．５σ、最大時間などに基づいて、余裕をもった検査時間を設定する機能を含んでいる。
【００８２】
他の構成は、第１の実施形態と同様である。
【００８３】
以上のような構成によれば、第１の実施形態の効果に加え、検査時間、準備時間又はその両方に余裕時間を持たせる際に、「平均値＋余裕時間」に限らず、「＋２．５σ値」、「＋２．５σ値＋余裕時間」、「最大時間」、「最大時間＋余裕時間」、「最大時間−無駄な待ち時間」等の任意の持たせ方を実現することができる。
【００８４】
これに加え、検査時間の統計データは、患者個別のデータではないので、新しい患者に対する検査オーダの割り付けにも適用することができる。
【００８５】
＜第３の実施形態＞
次に、第３の実施形態について説明する。
【００８６】
第３の実施形態は、第１又は第２の実施形態の具体例であり、図１９乃至図２１に示すように、処理回路１５の表示制御機能１５３がディスプレイ１３と検査装置の表示画面ＣＴ２−ｄｓとモニタ装置３０の表示画面との間で、表示内容を変えている。なお、検査装置の表示画面ＣＴ２−ｄｓは、例えば、第２ＣＴ装置ＣＴ２の表示画面である。モニタ装置３０の表示画面は、待合スペースＲ０で検査を待っている患者向けの画面である。
【００８７】
ここで、表示制御機能１５３は、前述した機能において、図１９に示すように、複数の検査装置（ＣＴ１〜ＣＴ３）に対する割り当て結果を表示するように、ディスプレイ１３を表示制御する。
【００８８】
また、表示制御機能１５３は、図２０に示すように、１つの検査装置（ＣＴ２）に対する割り当て結果を、当該検査装置（ＣＴ２）で表示するように、当該検査装置のディスプレイを表示制御する。このとき、１つの検査装置の表示画面ＣＴ２−ｄｓとしては、前室の準備時間の割り当て結果（第１四角形）を省いた情報を表示させる。但し、表示制御機能１５３は、入力インタフェース１４の操作に応じて、表示画面ＣＴ２−ｄｓに、前室の準備時間の割り当て結果を含めてもよい。
【００８９】
また、表示制御機能１５３は、図２１（ａ）に示すように、複数の検査装置（ＣＴ１〜ＣＴ３）に対する検査オーダの割り当て結果から抽出した受付番号を表示するように、モニタ装置３０を表示制御する。なお、表示制御機能１５３は、装置別付帯設備テーブル１２４に基づいて、図２１（ｂ）に示すように、割り当て結果内の検査装置ＩＤに対応する検査室ＩＤ毎に、当該割り当て結果から抽出した受付番号を表示するように、モニタ装置３０を表示制御してもよい。また、表示制御機能１５３は、受付番号に代えて、患者ＩＤを表示するようにモニタ装置３０を表示制御してもよい。
【００９０】
他の構成は、第１又は第２の実施形態と同様である。
【００９１】
以上のような構成によれば、第１又は第２の実施形態の効果に加え、検査スケジュール管理装置には複数の検査装置の割り当て結果を表示する一方、各検査装置には、自検査装置の割り当て結果のみを表示することができる。これにより、検査装置の操作者は、不要な他の検査装置の割り当て結果を視認することなく、必要な自検査装置の割り当て結果のみを視認することができる。
【００９２】
これに加え、検査スケジュール管理装置には準備時間及び検査時間の割り当て結果を表示する一方、各検査装置には、検査時間の割り当て結果のみを表示することができる。これにより、検査装置の操作者は、必要性の低い準備時間の割り当て結果を視認することなく、必要性の高い検査時間の割り当て結果のみを視認することができる。
【００９３】
また、待合スペースＲ０のモニタ装置３０には、検査開始を待つ患者の受付番号を表示することができる。これにより、患者は、自己の検査順番を考慮し、検査に間に合う範囲で一時的に待合スペースＲ０から離れて用事を済ませることができる。
【００９４】
＜第４の実施形態＞
次に、第４の実施形態について説明する。
【００９５】
第４の実施形態は、第１乃至第３の各実施形態の具体例であり、図２２及び図２３に一例を示すように、処理回路１５の通知機能１５４が、様々な通知情報を患者端末Ｔ００７，Ｔ０２７に送信している。なお、患者端末Ｔ００７，Ｔ０２７は、患者端末ＩＤが“Ｔ００７”，“Ｔ０２７”である患者端末Ｔｉに相当する。
【００９６】
具体的には図２２（ａ）は、検査オーダの割り当て結果に基づいて、待ち時間が第１閾値未満の場合に、詳細案内を含むように作成される通知情報を表示した例を示している。詳細案内は、検査室、待ち人数、準備開始予定時刻などが記載されている。
【００９７】
図２２（ｂ）は、準備開始予定時刻に基づいて送信された新たな通知情報を表示した例を示している。この通知情報は、準備開始予定時刻が近づいた際に、患者を呼び出すものであり、例えば、患者の入室を促すテキスト「検査室にお越し下さい。検査の準備を行います。」を含んでいる。
【００９８】
図２３（ａ）は、検査オーダの割り当て結果に基づいて、待ち時間が第１閾値以上の場合に、概略案内を含むように作成される通知情報を表示した例を示している。概略案内は、例えば、検査室及び待ち人数を記載せずに準備開始予定時刻の目安が記載されている。具体的には、概略案内は、準備開始予定時刻が目安である旨のテキスト「…頃の見込み」を含んでいる。あるいは、概略案内は、準備開始予定時刻を１０分単位で四捨五入した時刻と、目安である旨のテキストとを含んでもよい。このようなテキストを含む場合、待ち時間が長い患者群の検査オーダを再割り当てしても、先に送信した通知情報の訂正を要する可能性が低い。また、概略案内は、前述した詳細案内の内容（検査室、待ち人数など）を含まない。
【００９９】
図２３（ｂ）は、割り当てた検査オーダに対応する患者が検査室付近にいないとき、待ち時間が第１閾値以上の場合には、患者の戻り案内と、概略案内とを含むように作成される通知情報を表示した例を示している。戻り案内に含まれる戻り時刻「１１：３０」は、例えば、準備開始予定時刻「１１：４０」頃に余裕時間（例、１０分）を考慮した時刻として作成される。但し、戻り案内は、戻り時刻が記載されなくてもよい。概略案内は、検査の準備開始予定時刻の目安が記載されている。
【０１００】
他の構成は、第１乃至第３の実施形態と同様である。
【０１０１】
以上のような構成によれば、第１乃至第３の各実施形態の効果に加え、詳細案内を含む通知情報、呼び出しを行う通知情報、概略案内を含む通知情報、戻り案内及び概略案内を含む通知情報、といった様々な通知情報の具体例を提供することができる。
【０１０２】
以上説明した少なくとも一つの実施形態によれば、各々の検査種の特性を記憶すると共に、検査種に対応する各々の検査装置の特性と、検査装置を操作する各々の操作者の特性とのうちの少なくとも１つの特性を記憶する。検査種を含む検査オーダの入力を受け付けると、記憶された特性に基づき、検査オーダをいずれかの検査装置に割り当てる。従って、検査オーダをより適切に割り当てることができる。
【０１０３】
上記説明において用いた「プロセッサ」という文言は、例えば、ＣＰＵ（central processing unit）、ＧＰＵ(Graphics Processing Unit)、或いは、特定用途向け集積回路（Application Specific Integrated Circuit：ＡＳＩＣ））、プログラマブル論理デバイス（例えば、単純プログラマブル論理デバイス（Simple Programmable Logic Device：ＳＰＬＤ）、複合プログラマブル論理デバイス（Complex Programmable Logic Device：ＣＰＬＤ）、及びフィールドプログラマブルゲートアレイ（Field Programmable Gate Array：ＦＰＧＡ））等の回路を意味する。プロセッサは記憶回路に保存されたプログラムを読み出し実行することで機能を実現する。なお、記憶回路にプログラムを保存する代わりに、プロセッサの回路内にプログラムを直接組み込むよう構成しても構わない。この場合、プロセッサは回路内に組み込まれたプログラムを読み出し実行することで機能を実現する。なお、本実施形態の各プロセッサは、プロセッサごとに単一の回路として構成される場合に限らず、複数の独立した回路を組み合わせて１つのプロセッサとして構成し、その機能を実現するようにしてもよい。さらに、図１における複数の構成要素を１つのプロセッサへ統合してその機能を実現するようにしてもよい。
【０１０４】
各実施形態におけるメモリ１２及び各テーブル１２１〜１２８は、特許請求の範囲における記憶手段の一例である。各実施形態における処理回路１５及び割り当て機能１５２は、特許請求の範囲における割り当て手段の一例である。各実施形態における処理回路１５及び通知機能１５４及び第２通知手段は、特許請求の範囲における第１通知手段及び第２通知手段の一例である。各実施形態における処理回路１５及び再割り当て機能１５５は、特許請求の範囲における再割り当て手段の一例である。
【０１０５】
なお、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれる。
【符号の説明】
【０１０６】
１０…検査スケジュール管理装置、１１…通信インタフェース、１２…メモリ、１２１…検査種別検査装置テーブル、１２２…検査種別付帯設備テーブル、１２３…検査種別検査時間テーブル、１２４…装置別付帯設備テーブル、１２５…装置別操作者テーブル、１２６…操作者別優先検査種テーブル、１２７…装置別仕様テーブル、１２８…検査種別優先仕様テーブル、１２９…装置別スケジュール管理テーブル、１３…ディスプレイ、１４…入力インタフェース、１５…処理回路、１５１…管理機能、１５２…割り当て機能、１５３…表示制御機能、１５４…通知機能、１５５…再割り当て機能、２０〜２５通信装置、３０…モニタ装置、ＣＴ１〜ＣＴ３…ＣＴ装置、ＭＲ１…ＭＲＩ装置、ＵＳ１…超音波診断装置、Ｎｗ…ネットワーク、Ｔｉ…患者端末、Ｒ０…待合スペース、Ｒ１〜Ｒ５…検査室。
【図１】
2019125148.tif 000003
【図２】
2019125148.tif 000004
【図３】
2019125148.tif 000005
【図４】
2019125148.tif 000006
【図５】
2019125148.tif 000007
【図６】
2019125148.tif 000008
【図７】
2019125148.tif 000009
【図８】
2019125148.tif 000010
【図９】
2019125148.tif 000011
【図１０】
2019125148.tif 000012
【図１１】
2019125148.tif 000013
【図１２】
2019125148.tif 000014
【図１３】
2019125148.tif 000015
【図１４】
2019125148.tif 000016
【図１５】
2019125148.tif 000017
【図１６】
2019125148.tif 000018
【図１７】
2019125148.tif 000019
【図１８】
2019125148.tif 000020
【図１９】
2019125148.tif 000021
【図２０】
2019125148.tif 000022
【図２１】
2019125148.tif 000023
【図２２】
2019125148.tif 000024
【図２３】
2019125148.tif 000025